(57)【要約】【課題】  スピーカでＦＭラジオ放送信号を聴くときにも、常に良好に聴くことができるようにすることを目的とする。【解決手段】  イヤホンジャック４と、スピーカ３と、イヤホン・スピーカ切換スイッチ２とを有し、イヤホン１０のコード１０ｂをアンテナとして利用するようにしたラジオ受信機において、このイヤホン・スピーカ切換スイッチ２をスピーカ側に切換えたときにこのイヤホンジャック４にイヤホン１０のプラグ１０ａが接続されていないときを報知する報知手段２１を設けたものである。【選択図】        図１
2006054588.tif 000002
【特許請求の範囲】
【請求項１】
イヤホンジャックと、スピーカと、イヤホン・スピーカ切換スイッチとを有し、イヤホンのコードをアンテナとして利用するようにしたラジオ受信機において、
前記イヤホン・スピーカ切換スイッチをスピーカ側に切換えたときに前記イヤホンジャックにイヤホンのプラグが接続されていないときを報知する報知手段を設けたことを特徴とするラジオ受信機。
【請求項２】
巻き取りイヤホンと、スピーカと、イヤホン・スピーカ切換スイッチとを有し、イヤホンのコードをアンテナとして利用するようにしたラジオ受信機において、
前記イヤホン・スピーカ切換スイッチをスピーカ側に切換えたときに前記巻き取りイヤホンが引き出されていないときを報知する報知手段を設けたことを特徴とするラジオ受信機。
【発明の詳細な説明】
【技術分野】
【０００１】
本発明は、イヤホンとスピーカとを切換えて聴取できると共にイヤホンのコードをアンテナとして利用するようにしたラジオ受信機に関する。
【背景技術】
【０００２】
従来、ＦＭラジオ放送信号（テレビジョン放送の音声信号も含む）を受信するラジオ受信機のアンテナとしてロッドアンテナ等を使用してきたが、近年の携帯用ラジオ受信機においては携帯性を重視することからイヤホンのコードをアンテナとして利用している（特許文献１参照）。
【０００３】
また、従来図７に示す如きイヤホンのコードをＦＭラジオ放送受信用のアンテナとして利用し、ＦＭラジオ放送信号をイヤホンで聴くようにすると共にスピーカでも聴くことができるようにしたラジオ受信機が提案されている。
【０００４】
この図７につき説明するに、図７において、１はラジオ受信機本体を示し、このラジオ受信機本体１の出力端子１ａよりの音声信号を直流阻止用のコンデンサ８を介してイヤホン・スピーカ切換スイッチ２を構成するスライドスイッチの中央固定接点２ａに供給する。このスライドスイッチの可動接点２ｂは後述するスピーカ３を使用するときには、この中央固定接点２ａとスピーカ側固定接点２Ｓとを接続し、イヤホンを使用するときには、この中央固定接点２ａとイヤホン側固定接点２Ｅとを接続する。
【０００５】
このスピーカ側固定接点２Ｓをスピーカ３を介して接地すると共にイヤホンジャック４の一方の接点４ａに接続し、このイヤホン側固定接点２Ｅをイヤホンジャック４の部分を高周波的にアイソレーションするための高周波阻止用のコイル５を介して、このイヤホンジャック４の他方の接点４ｂに接続する。
【０００６】
このイヤホンジャック４のアース接点４ｃをこのイヤホンジャック４の部分をアイソレーションするための高周波阻止用のコイル６を介して接地する。また、このイヤホンジャック４のアース接点４ｃをコンデンサ７を介してラジオ受信機本体１のアンテナ端子１ｂに接続する。
【０００７】
斯る図７において、イヤホンプラグをイヤホンジャック４に接続し、イヤホン・スピーカ切換スイッチ２の可動接点２ｂにより、中央固定接点２ａとイヤホン側固定接点２Ｅとを接続したときには、イヤホンのコードをアンテナとして受信したＦＭラジオ放送信号がイヤホンジャック４のアース接点４ｃ、コンデンサ７を介してラジオ受信機本体１のアンテナ端子１ｂに供給され、このラジオ受信機本体１の出力端子１ａよりの音声信号がイヤホンに供給されイヤホンによりＦＭラジオ放送信号を聴くことができる。
【０００８】
また、イヤホンプラグをイヤホンジャック４に接続し、イヤホン・スピーカ切換スイッチ２の可動接点２ｂにより中央固定接点２ａとスピーカ側固定接点２Ｓとを接続したときは、イヤホンのコードをアンテナとして受信したＦＭラジオ放送信号がイヤホンジャック４のアース接点４ｃ、コンデンサ７を介してラジオ受信機本体１のアンテナ端子１ｂに供給され、このラジオ受信機本体１の出力端子１ａよりの音声信号がスピーカ３に供給され、このスピーカ３によりＦＭラジオ放送信号を聴くことができる。
【０００９】
また、従来図７において、イヤホンジャックを設けることなくイヤホンのコードを接続したままとし、このイヤホンのコードをラジオ受信機の筺体内に巻き取るようにした巻き取りイヤホンを有するラジオ受信機も提案されているが、この場合、イヤホンのコードを引き出し、イヤホン・スピーカ切換スイッチ２により切換えることによりＦＭラジオ放送信号をイヤホン又はスピーカで聴くことができる。
【特許文献１】実開昭５７−１４５０５号公報
【発明の開示】
【発明が解決しようとする課題】
【００１０】
然しながら図７の従来例において、イヤホンで聴くときは、イヤホンジャック４にイヤホンプラグを接続するので何等不都合はないが、スピーカ３でＦＭラジオ放送信号（テレビジョン放送の音声信号も含む）を聴こうとした場合、イヤホンのコードをアンテナとして利用していることを知らず又は忘れて、このイヤホンジャック４にイヤホンプラグを接続しないときには良好にＦＭラジオ放送信号を聴くことができず、ラジオ受信機の故障と誤解する不都合があった。
【００１１】
また、巻き取りイヤホンを有するラジオ受信機においては、イヤホンで聴くときはイヤホンのコードを引き出して使用するので、何等不都合はないが、スピーカでＦＭラジオ放送信号を聴こうとした場合、イヤホンのコードをアンテナとして利用していることを知らず又は忘れてイヤホンを引き出さずにイヤホンのコードを巻き取ったままにしたときには、良好にＦＭラジオ放送信号を聴くことができず、このラジオ受信機の故障と誤解する不都合があった。
【００１２】
本発明は斯る点に鑑み、スピーカでＦＭラジオ放送信号を聴くときにも常に良好に聴くことができるようにすることを目的とする。
【課題を解決するための手段】
【００１３】
本発明ラジオ受信機は、イヤホンジャックと、スピーカと、イヤホン・スピーカ切換スイッチとを有し、イヤホンのコードをアンテナとして利用するようにしたラジオ受信機において、このイヤホン・スピーカ切換スイッチをスピーカ側に切換えたときにイヤホンジャックにイヤホンのプラグが接続されていないときを報知する報知手段を設けたものである。
【００１４】
また、本発明ラジオ受信機は、巻き取りイヤホンと、スピーカと、イヤホン・スピーカ切換スイッチとを有し、イヤホンのコードをアンテナとして利用するようにしたラジオ受信機において、このイヤホン・スピーカ切換スイッチをスピーカ側に切換えたときにこの巻き取りイヤホンが引き出されていないときを報知する報知手段を設けたものである。
【発明の効果】
【００１５】
本発明によれば、イヤホン・スピーカ切換スイッチをスピーカ側に切換えたときに、イヤホンジャックにイヤホンのプラグが接続されていないとき又は巻き取りイヤホンが引き出されていないときを報知する報知手段を設けたので、アンテナとしてのイヤホンのコードの接続又はイヤホンのコードの引き出しを忘れることがなく行うので、スピーカでＦＭラジオ放送信号を常に良好に聴くことができる。
【発明を実施するための最良の形態】
【００１６】
以下、図１，図２を参照して本発明ラジオ受信機を実施するための最良の形態の例につき説明する。図１において、図７に対応する部分には同一符号を付して示す。
【００１７】
図１において、１はＦＭラジオ放送信号（テレビジョン放送の音声信号も含む）等が受信できるようになされたラジオ受信機本体を示し、このラジオ受信機本体１の出力端子１ａよりの音声信号をイヤホン・スピーカ切換スイッチ２を構成するスライドスイッチの中央固定接点２ａに供給する。
【００１８】
このスライドスイッチの可動接点２ｂは、スピーカ３を使用するときには、この中央固定接点２ａとスピーカ側固定接点２Ｓとを接続し、イヤホン１０を使用するときには、この中央固定接点２ａとイヤホン側固定接点２Ｅとを接続する。
【００１９】
このスピーカ側固定接点２Ｓをスピーカ３及び直流阻止用のコンデンサ１１の直列回路を介して接地すると共にこのスピーカ側固定接点２Ｓをイヤホンジャック４の一方の接点４ａに接続し、このイヤホン側固定接点２Ｅをイヤホンジャック４の部分を高周波的にアイソレーションするための高周波阻止用のコイル５を介して、このイヤホンジャック４の他方の接点４ｂに接続する。
【００２０】
またスピーカ側固定接点２Ｓを抵抗器１２を介してイヤホン側固定接点２Ｅに接続し、このイヤホンジャック４に常時、直流電圧を重畳する如くする。
【００２１】
このイヤホンジャック４のアース接点４ｃをこのイヤホンジャック４の部分をアイソレーションするための高周波阻止用のコイル６及び直流阻止用のコンデンサ１３の直列回路を介して接地する。また、このイヤホンジャックのアース接点４ｃをコンデンサ７を介してラジオ受信機本体１のアンテナ端子１ｂに接続する。
【００２２】
本例においては、コイル６及びコンデンサ１３の接続点を抵抗器１４を介して検出回路を構成するｎｐｎ形トランジスタ１５のベースに接続し、このトランジスタ１５のベースをコンデンサ１６及び抵抗器１７の並列回路を介して接地し、このトランジスタ１５のエミッタを接地し、このトランジスタ１５のコレクタを抵抗器１８を介して正の直流電圧が供給される電源端子１９に接続する。
【００２３】
このトランジスタ１５のコレクタに得られる信号を判定及び表示回路を構成するマイコン２０に供給し、このマイコン２０により例えば発光ダイオード（ＬＥＤ）２１を点灯する如くする。
【００２４】
この場合、図２に示す如くイヤホンジャック４にイヤホン１０のプラグ１０ａが挿入接続されたときは、イヤホンジャック４に重畳されている直流電圧がアース接点４ｃ、コイル６、抵抗器１４を介してトランジスタ１５のベースに供給され、このトランジスタ１５をオンとし、このトランジスタ１５のコレクタを接地レベル即ちローレベル“０”とし、このとき発光ダイオード２１を点灯しない如くする。
【００２５】
また、イヤホン・スピーカ切換スイッチ２の可動接点２ｂがスピーカ側固定接点２Ｓと中央固定接点２ａとを接続しているときで、イヤホンジャック４にイヤホン１０のプラグ１０ａが挿入接続されていないときは、トランジスタ１５のベースに直流電圧が供給されないので、トランジスタ１５はオフとなり、このトランジスタ１５のコレクタは電源端子１９の電圧即ちハイレベル“１”となり、発光ダイオード２１を点灯する如くする。
【００２６】
この場合、発光ダイオード２１を図２に示す如く、イヤホンジャック４の近傍に配する如くする。このときは、この発光ダイオード２１の点灯により、イヤホン１０のプラグ１０ａがイヤホンジャック４に挿入接続されていないことを報知し、使用者にイヤホン１０のプラグ１０ａイヤホンジャックに挿入接続することを促すこととなる。
【００２７】
斯る図１，図２例において、イヤホン１０のイヤホンプラグ１０ａをイヤホンジャック４に接続し、イヤホン・スピーカ切換スイッチ２の可動接点２ｂにより、中央固定接点２ａとイヤホン側固定接点２Ｅとを接続したときには、イヤホン１０のコード１０ｂをアンテナとして受信したＦＭラジオ放送信号がイヤホンジャック４のアース接点４ｃ、コンデンサ７を介してラジオ受信機本体１のアンテナ端子１ｂに供給され、このラジオ受信機本体１の出力端子１ａよりの音声信号がイヤホン１０に供給され、イヤホン１０によりＦＭラジオ放送信号を聴くことができる。
【００２８】
このときは、イヤホンジャック４より直流電圧がトランジスタ１５のベースに供給され、トランジスタ１５をオンとしトランジスタ１５のコレクタをローレベル“０”とし、発光ダイオード２１は点灯されない。
【００２９】
またイヤホンプラグ１０ａをイヤホンジャック４に接続し、イヤホン・スピーカ切換スイッチ２の可動接点２ｂにより中央固定接点２ａとスピーカ側固定接点２Ｓを接続したときは、イヤホン１０のコード１０ｂをアンテナとして受信したＦＭラジオ放送信号がイヤホンジャック４のアース接点４ｃ、コンデンサ７を介してラジオ受信機本体１のアンテナ端子１ｂに供給され、このラジオ受信機１の出力端子１ａよりの音声信号がスピーカ３に供給され、このスピーカ３によりＦＭラジオ放送信号を聴くことができる。
【００３０】
このときは、イヤホンジャック４よりの直流電圧がトランジスタ１５のベースに供給され、トランジスタ１５をオンとし、このトランジスタ１５のコレクタをローレベル“０”とし、発光ダイオード２１は点灯されない。
【００３１】
また本例において、イヤホン・スピーカ切換スイッチ２をスピーカ側即ち可動接点２ｂによりスピーカ側固定接点２Ｓと中央固定接点２ａとを接続したが、イヤホン１０のイヤホンプラグ１０ａをイヤホンジャック４に接続しないときは、アンテナとしてのイヤホン１０のコード１０ｂが無いので、ＦＭラジオ放送信号を良好に聴くことはできないが、このときはトランジスタ１５のベースにイヤホンジャック４よりの直流電圧が供給されないのでトランジスタ１５はオフとなり、このトランジスタ１５のコレクタはハイレベル“１”となり、発光ダイオード２１は点灯し、アンテナとしてのイヤホン１０のコード１０ｂが接続されていないことを聴者に報知する。
【００３２】
このイヤホン１０のイヤホンプラグ１０ａがイヤホンジャック４に接続されていないことの報知により、イヤホン１０のイヤホンプラグ１０ａをイヤホンジャック４に接続することにより、良好にＦＭラジオ放送信号を聴くことができ、従って本例によればスピーカ３でＦＭラジオ放送信号を聴くときにも常に良好に聴くことができる。
【００３３】
図３〜図６は本発明を実施するために最良の形態の他の例を示す。この例は図４Ａ，Ｂに示す如く、イヤホンのコード１０ｂがラジオ受信機の筐体２９内に巻き取られるようになされた巻き取りイヤホン１０ｄを有し、このイヤホン１０ｄのコード１０ｂをアンテナとして利用するものである。この図３〜図６につき説明するに、図１，図２に対応する部分には同一符号を付して示す。
【００３４】
図３において、１はＦＭラジオ放送信号（テレビジョン放送の音声信号も含む）等が受信できるようになされたラジオ受信機本体を示し、このラジオ受信機本体１の出力端子１ａよりの音声信号をイヤホン・スピーカ切換スイッチ２に供給する。
【００３５】
このイヤホン・スピーカ切換スイッチ２のスピーカ側出力端子２ｃに得られる音声信号をスピーカ３に供給すると共にこのイヤホン・スピーカ切換スイッチ２のイヤホン側出力端子２ｄに得られる音声信号をコード１０ｂを介して巻き取りイヤホン１０ｄに供給する。またこの巻き取りイヤホン１０ｄのコード１０ｂにより、受信されたＦＭラジオ放送信号をラジオ受信機本体１のアンテナ端子１ｂに供給する如くする。
【００３６】
本例においては、この巻き取りイヤホン１０ｄが巻き取られているか引き出されているかを検出する検出スイッチ３０を設ける。この検出スイッチ３０としては、例えば図４Ｂに示す如く、この巻き取りイヤホン１０ｄの巻き取られたときの収納部にマイクロスイッチ３０を設け、巻き取りイヤホン１０ｄがこの収納部にあるときはオフとなり、収納部にないときはオンとなる如くする。
【００３７】
図３において、３１はマイコンを示し、このマイコン３１はスイッチ回路３２の指示に従って、ラジオ受信機本体１のオン，オフ，選曲等の制御を行うと共に液晶表示装置３３の表示の制御を行い、更に種々の判断を行う如くなされたものである。
【００３８】
本例においては、イヤホン・スピーカ切換スイッチ２の切換情報をこのマイコン３１に供給すると共に巻き取り引き出し検出スイッチ３０よりの情報をマイコン３１に供給する。
【００３９】
本例においては、図５のフローチャートに示すように動作する如くする。即ちラジオ受信機の電源スイッチをオン（ステップＳ１）したときは、受信バンドがＦＭラジオ放送バンドかどうかを判断する（ステップＳ２）。このとき、ＦＭラジオ放送バンドでないとき例えばＡＭラジオ放送バンドのときは、そのＡＭラジオ放送のバンドを受信して聴く（ステップＳ３）。
【００４０】
このステップＳ２において、ＦＭラジオ放送バンドのときは、次にイヤホン・スピーカ切換スイッチ２よりの情報により、スピーカ３で聴いているかを判断する（ステップＳ４）。スピーカ３ではなく、巻き取りイヤホン１０ｄで聞いているときにはコード１０ｂは引き出されているので、このコード１０ｂをアンテナとして使用でき、そのままラジオ放送信号を聴く（ステップＳ３）。
【００４１】
このステップＳ４において、スピーカ３で聴いているときには、次に巻き取り引き出し検出スイッチ３０よりの情報により、イヤホン１０ｄが巻き取られているかどうかを判断する（ステップＳ５）。巻き取られていないときは、イヤホン１０ｄのコード１０ｂは引き出されているので、このコード１０ｂをアンテナとして使用でき、そのままラジオ放送を聴く（ステップＳ３）ようにする。
【００４２】
このステップＳ５において、イヤホン１０ｄが巻き取られている時には、このイヤホン１０ｄのコード１０ｂはアンテナとして機能せず、ＦＭラジオ放送信号を良好受信できないが、このときは液晶表示装置３３にイヤホン１０ｄが巻き取られている旨の報知を行う（ステップＳ６）。
【００４３】
この報知の液晶表示装置３３の表示の例としては、図６に示す如く表示し、この表示の「ＡＮＴ  Ｃｈｅｃｋ！」が点滅する如く表示する。
【００４４】
この巻き取りイヤホン１０ｄが巻き取られていることの報知により、この巻き取りイヤホン１０ｄを引き出すことにより、良好にＦＭラジオ放送信号を聴くことができ、従って本例によればスピーカ３でＦＭラジオ放送信号を聴くときも、常に良好に聴くことができる。
【００４５】
尚、上述例では報知する報知手段として、発光ダイオード２１及び液晶表示装置３３を使用した例につき述べたが、音声等その他の報知手段を使用しても良いことは勿論である。
【００４６】
また本発明は、上述例に限ることなく本発明の要旨を逸脱することなく、その他種々の構成が採り得ることは勿論である。
【図面の簡単な説明】
【００４７】
【図１】本発明ラジオ受信機を実施するための最良の形態の例を示す構成図である。
【図２】図１の外観斜視図である。
【図３】本発明ラジオ受信機を実施するための最良の形態の他の例を示す構成図である。
【図４】Ａは図３の外観斜視図、Ｂは図３の要部の例を示す透視図である。
【図５】図３の説明に供するフローチャートである。
【図６】表示の例を示す線図である。
【図７】従来のラジオ受信機の例を示す構成図である。
【符号の説明】
【００４８】
１…ラジオ受信機本体、２…イヤホン・スピーカ切換スイッチ、３…スピーカ、４…イヤホンジャック、７，１３，１６…コンデンサ、１５…トランジスタ、１０，１０ｄ…イヤホン、１０ａ…イヤホンプラグ、１０ｂ…コード、２０,３１…マイコン、２１…発光ダイオード、３０…検出スイッチ、３３…液晶表示装置
【図１】
2006054588.tif 000003
【図２】
2006054588.tif 000004
【図３】
2006054588.tif 000005
【図４】
2006054588.tif 000006
【図５】
2006054588.tif 000007
【図６】
2006054588.tif 000008
【図７】
2006054588.tif 000009